(57)【要約】【課題】  映像や音声の再多重化をより一般的に行うデジタル放送装置を提供する。【解決手段】  ＭＰＥＧ２−ＴＳにタイムスタンプを付与したＴＴＳ形式のストリームデータを受信するデジタル放送受信装置であって、ＴＴＳ内のコンテンツデータフォーマットを所定の方法で変換する変換部（トランスコーダ）と、変換後のコンテンツデータをＴＴＳタイムスタンプに基づき多重して出力する多重部とを備え、多重部は変換後のコンテンツデータを変換前のＴＴＳパケット位置に基づき多重することを特徴とするデジタル放送受信装置。【選択図】      図１
2008131570.tif 000002
【特許請求の範囲】
【請求項１】
ＭＰＥＧ２−ＴＳにタイムスタンプを付与したＴＴＳ形式のストリームデータに所定の変換をして送信するデジタル放送送信装置において、
コンテンツデータフォーマットを所定の方法で変換する変換部（トランスコーダ）と、
変換後のコンテンツデータをＴＴＳタイムスタンプに基づき多重して出力する多重部
とを備え、多重部は変換後のコンテンツデータを変換前のＴＴＳパケット位置に多重することを特徴とするデジタル放送送信装置。
【請求項２】
ＭＰＥＧ２−ＴＳにタイムスタンプを付与したＴＴＳ形式のストリームデータを受信するデジタル放送受信装置において、
ＴＴＳ内のコンテンツデータフォーマットを所定の方法で変換する変換部（トランスコーダ）と、
変換後のコンテンツデータをＴＴＳタイムスタンプに基づき多重して出力する多重部
とを備え、多重部は変換後のコンテンツデータを変換前のＴＴＳパケット位置に基づき多重することを特徴とするデジタル放送受信装置。
【請求項３】
ＭＰＥＧ２−ＴＳにタイムスタンプを付与したＴＴＳ形式のストリームデータに所定の変換をして送信するデジタル放送再送信装置において、
コンテンツデータフォーマットを所定の方法で変換する変換部（トランスコーダ）と、
変換後のコンテンツデータをＴＴＳタイムスタンプに基づき多重して出力する多重部と、
この多重部内のメモリとを
備え、多重部はこのメモリにおいてコンテンツデータ変換前と変換後の各ＰＥＳパケットを前記変換部と渡し受けしてＴＴＳパケット位置に多重することを特徴とするデジタル放送再送信装置。
【発明の詳細な説明】
【技術分野】
【０００１】
本発明は、デジタル放送装置に係り、特に映像や音声の再多重化方法に関する。
【背景技術】
【０００２】
デジタル放送装置に用いられるトランスコーダ装置は、映像や音声を変換するツールとして用いられてきている。例えば映像に関しての対象として、ＶＯＤ（Video on Demand）や、インターネット放送、デジタルテレビ放送、テレビ会議、ＤＶＤビデオなど、各種のデジタルビデオアプリケーションは、それぞれの用途に適したエンコード方式、ビットレート、解像度、フレームレートを採用している。ビデオトランスコーダとは、これらを、ストリーム系と蓄積系、あるいは、ネットワークとして帯域保証のあるＡＴＭ、帯域保証のないＩＰネットワーク、低ビットレート伝送しかできないＩＳＤＮネットワークなどの、異なる利用条件下でも、シームレスに利用できるように相互に変換する技術である。
【０００３】
従来行われていた方法は、ビデオ、オーディオそれぞれ別個にエレメンタリストリーム（ＥＳ）で扱うものであるため、ＴＳリファレンスクロックで同期をとる必要があった。
【０００４】
これに対し、特許文献１にあるものは、第１の多重フォーマットのマルチメデイア多重ストリームはビデオ、音声に分離された後、符号化され再構成部に入力され再構成後、多重部に入力され、分離部で抽出された時刻情報は再生時刻情報補正部に入力しフォーマット変換に伴う位相ずれがなくなるように補正されて、補正再生時刻情報として多重部に出力され、多重部は符号化フレームデータに時刻情報を付加して多重フォーマットにより多重して出力する、と記載されている。即ち、分離されたフォーマット変換信号とタイムスタンプを補正したフォーマット信号を再多重化する、というものである。
【０００５】
しかしながら、ＭＰＥＧ２方式におけるＴＳ形式をＰＳ（Ｐｒｏｇｒａｍ  Ｓｔｒｅａｍ）形式に変換する例が記載されているが一般的に用いることができるような技術開示はない。
【特許文献１】特開２００３−６１０５８号公報
【発明の開示】
【発明が解決しようとする課題】
【０００６】
本発明は、映像や音声の再多重化をより一般的に行うデジタル放送装置を提供することを目的とする。
【課題を解決するための手段】
【０００７】
上記課題を解決するために、本発明のデジタル放送受信装置は、ＭＰＥＧ２−ＴＳにタイムスタンプを付与したＴＴＳ形式のストリームデータを受信するデジタル放送受信装置にであって、ＴＴＳ内のコンテンツデータフォーマットを所定の方法で変換する変換部（トランスコーダ）と、変換後のコンテンツデータをＴＴＳタイムスタンプに基づき多重して出力する多重部とを備え、多重部は変換後のコンテンツデータを変換前のＴＴＳパケット位置に基づき多重することを特徴とする。
【発明の効果】
【０００８】
本発明によれば、映像や音声の再多重化をより一般的に行うデジタル放送装置が得られる。
【発明を実施するための最良の形態】
【０００９】
以下、本発明の実施例を説明する。
【実施例１】
【００１０】
本発明による実施例１を図１乃至図３を参照して説明する。
図１は、この発明の一実施例を示すブロック構成図を示している。送信機の例である。ＴＳ（Ｔｒａｎｓｐｏｒｔ  Ｓｔｒｅａｍ）入力部１の出力は、ＴＴＳ化（タイムスタンプの付与）部２の入力に導かれ、ＴＴＳ化部２の出力は多重部３の入力と変換部４（トランスコーダ）の映像用トランスコーダ４ａと音声用トランスコーダ４ｂの各入力とにそれぞれ適したＴＴＳ化後のデータを供給するよう構成されている。また映像用トランスコーダ４ａと音声用トランスコーダ４ｂの出力は多重部３の入力へと接続されていて、多重部３は３つの入力を再多重化して送信部５へ送り送信部５からＩＰ（Ｉｎｔｅｒｎｅｔ  Ｐｒｏｔｏｃｏｌ）網へ送信されるように構成されている。
【００１１】
図１において、入力されたＭＰＥＧ２（登録商標）方式等のＴＳをＴＴＳ化し、映像パケットを映像用トランスコーダ４ａに、音声パケットを音声用トランスコーダ４ｂに入力する。映像用トランスコーダ４ａにおいては、図２に示す動作のようにＴＴＳパケットからＰＥＳ（Ｐａｃｋｅｔｉｚｅｄ  Ｅｌｅｍｅｎｔａｒｙ  Ｓｔｒｅａｍ）パケット先頭を検出し、ＴＴＳパケットのペイロードをまとめてＰＥＳパケットを得て、得られたＰＥＳパケットに対するトランスコード結果を得る。このときＰＥＳパケットヘッダ内のＤＴＳ（Ｄｅｃｏｄｉｎｇ  Ｔｉｍｅ  Ｓｔａｍｐ），ＰＴＳ（Ｐｒｅｓｅｎｔａｔｉｏｎ  Ｔｉｍｅ  Ｓｔａｍｐ）は維持する。得られたトランスコード出力を入力されたＴＴＳパケットのペイロード部に上書きする。トランスコード前後ではトランスコード後の方がデータが小さいので、残った領域はパディングで埋め、またＴＴＳパケット毎不要となったパケットはＮＵＬＬパケットで置換する。こうして得られたＴＴＳを多重部３にストリーム出力する。音声用トランスコーダ４ｂも同様に音声のトランスコードを行う。
【００１２】
（再）多重部３では、ＴＴＳ化されたストリームとトランスコーダからのＴＴＳパケットのタイムスタンプを比較し、一致するパケットをトランスコーダ側のパケットで置換する。最終的に得られた変換後のＴＴＳストリームは、送信部５でＩＰパケット化して送出される。
【００１３】
図３は受信機の場合の構成を示す図である。ＴＳ（Ｔｒａｎｓｐｏｒｔ  Ｓｔｒｅａｍ）入力部１の出力は、ＴＴＳ化（タイムスタンプの付与）部２の入力に導かれ、ＴＴＳ化部２の出力は多重部３の入力と変換部４（トランスコーダ）の映像用トランスコーダ４ａと音声用トランスコーダ４ｂの各入力とにそれぞれ適したＴＴＳ化後のデータを供給するよう構成されている。また映像用トランスコーダ４ａと音声用トランスコーダ４ｂの出力は多重部３の入力へと接続されていて、多重部３は３つの入力を再多重化して送信部５へ送り送信部５‘から変換後のＴＴＳを外部表示装置宛に再送信するようにあるいは記録再生のために記録部６に記録するよう構成されている。
【００１４】
受信機においても送信機と同様にトランスコードを行う。
【実施例２】
【００１５】
本発明による実施例２を図１乃至図２及び図４を参照して説明する。実施例１と共通する部分は説明を省略する。
図４は（再）送信機の場合の構成を示す図である。
ここでは図１の場合と異なり、ＴＴＳパケットからのＰＥＳパケット抽出とトランスコード後のＰＥＳパケットのＴＴＳパケットへの書き戻しは再多重部が直接ＴＴＳパケットの記憶メモリに行う。したがって記憶メモリを節約できる。図４ではＴＴＳパケットからのＰＥＳパケット抽出とトランスコード後のＰＥＳパケットのＴＴＳパケットへの書き戻しは再多重部が直接ＴＴＳパケットの記憶メモリに行う。したがって記憶メモリを実施例１と比べて節約できる。
【００１６】
本発明の概要は、コンテンツデータフォーマットを所定の方法で変換する変換部と変換部のコンテンツデータをTTSタイムスタンプに基づき多重にして出力する多重部を備え、多重部は変換後のコンテンツデータを変換前のTTSパケット位置に多重することを特徴とするデジタル放送装置である。
【００１７】
効果としては、次の点が挙げられる。いずれか一つでも効果的である。
・再多重処理を簡素化できる。
・再多重時にＥＳ間（映像・音声など）との同期のずれ（リップシンク）が生じず、調整の必要がない。また、映像と音声のどちらかのみトランスコードする場合や、映像や音声が複数同時に多重され一部のみトランスコードする場合においてもトランスコードするデータとトランスコードしないデータとの同期のずれが生じない。
【００１８】
ずれ（リップシンク）が生じず、調整の必要がない。
・元のストリームのタイミングに従っているため、クロックリファレンス(PCR)の調整（付け直し）が必要ない。
・トランスコード・多重を非同期処理できる（クロックリファレンスに同期しなくてよい）。
なお、この発明は上記実施例に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００１９】
【図１】この発明の一実施例を示すブロック構成図。
【図２】同実施例の動作を示すパケット構成の遷移図。
【図３】同実施例の受信機の場合の構成を示す図。
【図４】他の実施例を示すブロック構成図。
【符号の説明】
【００２０】
１…ＴＳ（Ｔｒａｎｓｐｏｒｔ  Ｓｔｒｅａｍ）入力部、２…ＴＴＳ化（タイムスタンプの付与）部、３…多重部、４…変換部４（トランスコーダ）、４ａ…映像用トランスコーダ、４ｂ…音声用トランスコーダ、５…ＩＰ（Ｉｎｔｅｒｎｅｔ  Ｐｒｏｔｏｃｏｌ）網への送信部、５‘…外部表示装置宛への送信部、６…記録部。
【図１】
2008131570.tif 000003
【図２】
2008131570.tif 000004
【図３】
2008131570.tif 000005
【図４】
2008131570.tif 000006